(57)【要約】      （修正有）【課題】ジャーナル部の製作を従来手段よりも能率よく行うことができるようにする。【解決手段】ジャーナル部３を、ジャーナル軸４と嵌合フランジ５とを別体にして構成し、中心に穴６を穿設する。嵌合フランジ５との接合端に、嵌合フランジ５の穴６より若干大径の加圧フランジ部４Ａを形成すると共に、該加圧フランジ部４Ａの中心に嵌合フランジ５の穴６より小径となした所要の長さの柱状部４Ｂを介して該柱状部４Ｂより大径のフランジ部４Ｃを連成する。ジャーナル軸４における柱状部４Ｂ及びフランジ部４Ｃを嵌合フランジ５の穴６に挿入した状態においてジャーナル軸４における加圧フランジ部４Ａを外方より加圧する。加圧フランジ部４Ａとの当接部分５Ａに塑性変形を生じさせて、ジャーナル軸４における加圧フランジ部４Ａと柱状部４Ｂとこれに連なるフランジ部４Ｃとの間に存在する空間部Ｓに嵌合フランジ５の一部を塑性流動により詰め込む。【選択図】図３
0003132371.tif 000002
【実用新案登録請求の範囲】
【請求項１】
中空ロール素材管と、該中空ロール素材管の両端に接合する、ジャーナル軸と嵌合フランジとが一体化したジャーナル部とからなる中空ロールにおいて、前記ジャーナル部を、ジャーナル軸と嵌合フランジとを別体となし、嵌合フランジの中心に穴を穿設する一方、ジャーナル軸における嵌合フランジとの接合端に、嵌合フランジの穴より若干大径の加圧フランジ部を形成すると共に、該加圧フランジ部の中心に前記嵌合フランジの穴より小径となした所要の長さの柱状部を介して該柱状部より大径のフランジ部を連成し、前記ジャーナル軸における柱状部及びフランジ部を前記嵌合フランジの穴に挿入した状態においてジャーナル軸における加圧フランジ部を外方より加圧し、嵌合フランジにおける加圧フランジ部との当接部分に塑性変形を生じさせて、ジャーナル軸における該加圧フランジ部と柱状部とこれに連なるフランジ部との間に存在する空間部に該嵌合フランジの一部を塑性流動により詰め込み、もってジャーナル軸と嵌合フランジとが一体化したジャーナル部となしたことを特徴とする中空ロール。
【請求項２】
加圧フランジ部の外周部に凹凸を形成してなる請求項１記載の中空ロール。
【請求項３】
柱状部の外周部に凹凸を形成してなる請求項１又は２記載の中空ロール。
【請求項４】
加圧フランジ部を多角形となした請求項１記載の中空ロール。
【請求項５】
柱状部を軸断面多角形となした請求項１又は４記載の中空ロール。
【請求項６】
中空ロール素材管と、該中空ロール素材管の両端に接合する、ジャーナル軸と嵌合フランジとが一体化したジャーナル部とからなる中空ロールにおいて、前記ジャーナル部を、ジャーナル軸と嵌合フランジとを別体となし、ジャーナル軸の中心に穴を穿設すると共に嵌合フランジとの接合端に加圧フランジ部を形成する一方、嵌合フランジにおけるジャーナル軸との接合端に、前記ジャーナル軸の加圧フランジ部より小径のアンビル部を穿設し、該アンビル部の中心に前記ジャーナル軸の穴より小径となした所要の長さの柱状部を介して該柱状部より大径のフランジ部を連成し、前記嵌合フランジにおける柱状部及びフランジ部を前記ジャーナル軸の穴に挿入した状態においてジャーナル軸における加圧フランジ部を外方より加圧し、ジャーナル軸における嵌合フランジのアンビル部との当接部分に塑性変形を生じさせて、嵌合フランジにおけるアンビル部と柱状部とこれに連なるフランジ部との間に存在する空間部に該ジャーナル軸の一部を塑性流動により詰め込み、もってジャーナル軸と嵌合フランジとが一体化したジャーナル部となしたことを特徴とする中空ロール。
【請求項７】
アンビル部の外周部に凹凸を形成してなる請求項６記載の中空ロール。
【請求項８】
柱状部の外周部に凹凸を形成してなる請求項６又は７記載の中空ロール。
【請求項９】
アンビル部を多角形となした請求項６記載の中空ロール。
【請求項１０】
柱状部を軸断面多角形となした請求項６又は９記載の中空ロール。
【考案の詳細な説明】
【技術分野】
【０００１】
本考案は事務用機器等に用いられる中空ロールに関するものである。
【背景技術】
【０００２】
事務用機器等に用いられる中空ロールは、中空ロール素材管と、該中空ロール素材管を支承するためにその両端に接合する、ジャーナル軸と嵌合フランジとが一体化したジャーナル部とによって構成されている。
【０００３】
そして、従来における中空ロールは、所要の長さ及び太さの一本の金属棒を切削することによってジャーナル軸と嵌合フランジとが一体化したジャーナル部を成形していた。
【０００４】
しかし、従来のこのように切削による場合には、手間と時間がかかり過ぎて作業能率が悪く、また大量の削り屑が出て、これが無駄になるという問題点があった。
【考案の開示】
【考案が解決しようとする課題】
【０００５】
本考案は上記の点に鑑みなされたものであって、ジャーナル部の製作において、ジャーナル軸と嵌合フランジとを別体として製作し、これらジャーナル軸と嵌合フランジとを加圧による金属の塑性変形をもって接合一体化することにより、上記従来の成形手段によるジャーナル部を用いた中空ロールの問題点を悉く解消することができるようになした中空ロールを提供せんとするものである。
【課題を解決するための手段】
【０００６】
而して、本考案の要旨とするところは、中空ロール素材管と、該中空ロール素材管の両端に接合する、ジャーナル軸と嵌合フランジとが一体化したジャーナル部とからなる中空ロールにおいて、前記ジャーナル部を、ジャーナル軸と嵌合フランジとを別体となし、嵌合フランジの中心に穴を穿設する一方、ジャーナル軸における嵌合フランジとの接合端に、嵌合フランジの穴より若干大径の加圧フランジ部を形成すると共に、該加圧フランジ部の中心に前記嵌合フランジの穴より小径となした所要の長さの柱状部を介して該柱状部より大径のフランジ部を連成し、前記ジャーナル軸における柱状部及びフランジ部を前記嵌合フランジの穴に挿入した状態においてジャーナル軸における加圧フランジ部を外方より加圧し、嵌合フランジにおける加圧フランジ部との当接部分に塑性変形を生じさせて、ジャーナル軸における該加圧フランジ部と柱状部とこれに連なるフランジ部との間に存在する空間部に該嵌合フランジの一部を塑性流動により詰め込み、もってジャーナル軸と嵌合フランジとが一体化したジャーナル部となしたことを特徴とする中空ロールにある。
【０００７】
また、上記構成において、加圧フランジ部の外周部に凹凸を形成するようにしてもよく、また、柱状部の外周部に凹凸を設けるようにしてもよい。また、これらを組み合わせた形となしてもよい。
【０００８】
また、上記凹凸に代えて、加圧フランジ部を多角形となしてもよく、また柱状部を軸断面多角形となしてもよい。また、これらを組み合わせた形となしてもよい。
【０００９】
また、本考案は、中空ロール素材管と、該中空ロール素材管の両端に接合する、ジャーナル軸と嵌合フランジとが一体化したジャーナル部とからなる中空ロールにおいて、前記ジャーナル部を、ジャーナル軸と嵌合フランジとを別体となし、ジャーナル軸の中心に穴を穿設すると共に嵌合フランジとの接合端に加圧フランジ部を形成する一方、嵌合フランジにおけるジャーナル軸との接合端に、前記ジャーナル軸の加圧フランジ部より小径のアンビル部を穿設し、該アンビル部の中心に前記ジャーナル軸の穴より小径となした所要の長さの柱状部を介して該柱状部より大径のフランジ部を連成し、前記嵌合フランジにおける柱状部及びフランジ部を前記ジャーナル軸の穴に挿入した状態においてジャーナル軸における加圧フランジ部を外方より加圧し、ジャーナル軸における嵌合フランジのアンビル部との当接部分に塑性変形を生じさせて、嵌合フランジにおけるアンビル部と柱状部とこれに連なるフランジ部との間に存在する空間部に該ジャーナル軸の一部を塑性流動により詰め込み、もってジャーナル軸と嵌合フランジとが一体化したジャーナル部となしたことを特徴とする中空ロールをもその要旨とするものである。
【００１０】
また、上記構成において、アンビル部の外周に凹凸を形成するようにしてもよく、また、柱状部の外周部に凹凸を設けるようにしてもよい。また、これらを組み合わせた形となしてもよい。
【００１１】
また、上記凹凸に代えて、アンビル部を多角形となしてもよく、また柱状部を軸断面多角形となしてもよい。また、これらを組み合わせた形となしてもよい。
【考案の効果】
【００１２】
本考案は上記の如き構成であり、ジャーナル部の製作において、ジャーナル軸と嵌合フランジとを別体として製作し、これらジャーナル軸と嵌合フランジとを加圧による金属の塑性変形をもって接合一体化するものであるから、従来手段程の手間と時間を要しないものである。また、従来手段の如き削り屑も出ないから、この分の無駄も省けるものである。更にまた、請求項１の構成において、ジャーナル軸における加圧フランジ部又は柱状部の外周部に凹凸を形成した場合には、加圧フランジ部又は柱状部の凸部が嵌合フランジに食い込むと共に凹部に嵌合フランジの一部が食い込み、また、請求項６の構成においてアンビル部又は柱状部の外周部に凹凸を形成した場合には、アンビル部又は柱状部の凸部がジャーナル軸に食い込むと共に凹部にジャーナル軸の一部が食い込み、もってジャーナル軸と嵌合フランジとが一体化した状態においてジャーナル軸の円周方向の外力が加わったときに、円周方向へのずれを抑止することができるものである。また、斯かる効果は、請求項１の構成において加圧フランジ部を多角形とした場合及び柱状部を軸断面多角形とした場合、また、請求項６の構成においてアンビル部を多角形とした場合及び柱状部を軸断面多角形とした場合にも同様である。
【考案を実施するための最良の形態】
【００１３】
本考案を実施するための最良の形態は、ジャーナル軸と嵌合フランジとを別体となし、嵌合フランジの中心に穴を穿設する一方、ジャーナル軸における嵌合フランジとの接合端に、嵌合フランジの穴より若干大径の加圧フランジ部を形成すると共に、該加圧フランジ部の中心に前記嵌合フランジの穴より小径となした所要の長さの柱状部を介して該柱状部より大径のフランジ部を連成し、前記ジャーナル軸における柱状部及びフランジ部を前記嵌合フランジの穴に挿入した状態においてジャーナル軸における加圧フランジ部を外方より加圧し、嵌合フランジにおける加圧フランジ部との当接部分に塑性変形を生じさせて、ジャーナル軸における該加圧フランジ部と柱状部とこれに連なるフランジ部との間に存在する空間部に該嵌合フランジの一部を塑性流動により詰め込み、もってジャーナル軸と嵌合フランジとが一体化したジャーナル部となしたことにある。
【実施例１】
【００１４】
以下、本考案の実施例について説明する。
図１は本考案の第１実施例に係る中空ロールの要部の拡大断面図、図２乃至図４はジャーナル部の製作工程図である。
【００１５】
図中、１は中空ロールである。また該中空ロール１は、金属からなる中空ロール素材管２と、該中空ロール素材管２を支承するためにその両端に接合する、金属からなるジャーナル軸と嵌合フランジとが一体化したジャーナル部３とによって構成されている。
【００１６】
また、該ジャーナル部３は、ジャーナル軸４と、中空ロール素材管２の端部に圧入して嵌合する嵌合フランジ５とを別体として製作している。そしてまた、嵌合フランジ５の中心に穴６を穿設する一方、ジャーナル軸４における嵌合フランジ５との接合端に、嵌合フランジ５の穴６より若干大径の加圧フランジ部４Ａを形成すると共に、該加圧フランジ部４Ａの中心に前記嵌合フランジ５の穴６より小径となした所要の長さの柱状部４Ｂを介して該柱状部４Ｂより大径のフランジ部４Ｃを連成し、前記ジャーナル軸４における柱状部４Ｂ及びフランジ部４Ｃを前記嵌合フランジ５の穴６に挿入した状態においてジャーナル軸４における加圧フランジ部４Ａを外方より加圧し（図３）、嵌合フランジ５における加圧フランジ部４Ａとの当接部分５Ａに塑性変形を生じさせて、ジャーナル軸４における該加圧フランジ部４Ａと柱状部４Ｂとこれに連なるフランジ部４Ｃとの間に存在する空間部Ｓに該嵌合フランジ５の一部を塑性流動により詰め込み（図４）、もってジャーナル軸４と嵌合フランジ５とが一体化したジャーナル部となしたものである。尚、前記嵌合フランジ５の穴６は、図示した実施例の如き貫通穴でも、また図示しない一方側が閉塞された穴でもよい。また、図３に示す加圧時には、その前に予め加熱によって嵌合フランジ５を柔らかくしておくことが望ましい。尚、嵌合フランジ５がジャーナル軸４より軟質の材料であればそのようにする必要はない。
【００１７】
また、本実施例においては、ジャーナル軸４における加圧フランジ部４Ａ及び柱状部４Ｂの外周部に連続した凹凸、例えばローレット４Ｄを形成している。これにより、ジャーナル軸４と嵌合フランジ５とが一体化した状態においてジャーナル軸４の円周方向の外力が加わったときに、円周方向へのずれを抑止することができるものである。また、図示はしないが、加圧フランジ部を多角形となし、又は柱状部を軸断面多角形となしてもよく、この場合にも同様の効果を奏することができる。
【実施例２】
【００１８】
次に、図５乃至図７に示した本考案の第２実施例について説明する。
本実施例と前記第１実施例とは、ジャーナル部におけるジャーナル軸と嵌合フランジの一体化の工程において相違するものである。即ち、前記ジャーナル部３を、ジャーナル軸４と嵌合フランジ５とを別体となし、ジャーナル軸４の中心に穴７を穿設すると共に嵌合フランジ５との接合端に加圧フランジ部４Ａを形成する一方、嵌合フランジ５におけるジャーナル軸４との接合端に、前記ジャーナル軸４の加圧フランジ部４Ａより小径のアンビル部８を穿設し、該アンビル部８の中心に前記ジャーナル軸４の穴７より小径となした所要の長さの柱状部９を介して該柱状部９より大径のフランジ部１０を連成し、前記嵌合フランジ５における柱状部９及びフランジ部１０を前記ジャーナル軸４の穴７に挿入した状態においてジャーナル軸４における加圧フランジ部４Ａを外方より加圧し（図６）、ジャーナル軸４における嵌合フランジ５のアンビル部８との当接部分４Ａ′に塑性変形を生じさせて、嵌合フランジ５におけるアンビル部８と柱状部９とこれに連なるフランジ部１０との間に存在する空間部Ｓに該ジャーナル軸４の一部を塑性流動により詰め込み、もってジャーナル軸４と嵌合フランジ５とが一体化したジャーナル部となしたものである。
【００１９】
尚、前記ジャーナル軸４の穴７は、図示した実施例の如き一方が閉塞された穴でも、また図示しない貫通穴でもよい。また、図６に示す加圧時には、その前に予め加熱によってジャーナル軸４を柔らかくしておくことが望ましい。尚、ジャーナル軸４が嵌合フランジ５より軟質の材料であればそのようにする必要はない。
【００２０】
また、本実施例においては、嵌合フランジ５におけるアンビル部８及び柱状部９の外周部に連続した凹凸、例えばローレット８Ａ、９Ａを形成している。これにより、ジャーナル軸４と嵌合フランジ５とが一体化した状態においてジャーナル軸４の円周方向の外力が加わったときに、円周方向へのずれを抑止することができるものである。また、図示はしないが、嵌合フランジのアンビル部を多角形となし、又は柱状部を軸断面多角形となしてもよく、この場合にも同様の効果を奏することができる。また、その他の点については前記第１実施例と同様であるから、説明は省略する。
【図面の簡単な説明】
【００２１】
【図１】本考案の第１実施例に係る中空ロールの要部の拡大断面図である。
【図２】ジャーナル部の製作工程図であり、接合前の状態を示すものである。
【図３】ジャーナル部の製作工程図であり、接合途中の状態を示すものである。
【図４】ジャーナル部の製作工程図であり、接合完了状態を示すものである。
【図５】本考案の第２実施例に係る中空ロールにおけるジャーナル部の製作工程図であり、接合前の状態を示すものである。
【図６】ジャーナル部の製作工程図であり、接合途中の状態を示すものである。
【図７】ジャーナル部の製作工程図であり、接合完了状態を示すものである。
【符号の説明】
【００２２】
１  中空ロール
２  中空ロール素材管
３  ジャーナル部
４  ジャーナル軸
４Ａ  加圧フランジ部
４Ｂ  柱状部
４Ｃ  フランジ部
４Ｄ  凹凸
５  嵌合フランジ
６  穴
７  穴
８  アンビル部
９  柱状部
１０  フランジ部
【図１】
0003132371.tif 000003
【図２】
0003132371.tif 000004
【図３】
0003132371.tif 000005
【図４】
0003132371.tif 000006
【図５】
0003132371.tif 000007
【図６】
0003132371.tif 000008
【図７】
0003132371.tif 000009